(57)【特許請求の範囲】
【請求項１】
装置本体の前部の左右両側に設けられたガイド溝に、ディスプレイの両側面に設けられたガイドピンが嵌合され、スライド機構により前記ディスプレイが前後方向に移動することにより、前記ガイドピンと前記ガイド溝との係合を介して前記ディスプレイが傾動するディスプレイ装置において、
前記装置本体の前面に設けられた第１磁石と、
前記ディスプレイが閉位置にあるときに、前記ディスプレイの前記第１磁石と対向する位置に第２磁石とを設け、
前記ディスプレイが閉位置にあるときに、対向した前記第１磁石と前記第２磁石との間で生じる磁力により、前記ガイドピンを前記ガイド溝のディスプレイ収容部開口部側の壁面方向に付勢することを特徴とするディスプレイ装置。
【請求項２】
前記ディスプレイが閉位置にあるときに、前記第１磁石および前記第２磁石は、前記ガイドピンの近傍に位置することを特徴とする請求項１記載のディスプレイ装置。
【請求項３】
前記第１磁石および前記第２磁石は、それぞれ複数個配置されることを特徴とする請求項１または請求項２記載のディスプレイ装置。
【請求項４】
前記第１磁石および前記第２磁石のうちいずれか一方は、対向する位置に設けられた他方の磁石と引き合う強磁性体で構成されることを特徴とする請求項１から請求項３のうちのいずれか１項記載のディスプレイ装置。
【発明の詳細な説明】
【技術分野】
【０００１】
この発明は、傾動可能なディスプレイを備えたディスプレイ装置に関するものである。
【背景技術】
【０００２】
オーディオシステムやカーナビゲーションシステムなどディスプレイを備えた装置においては、傾動可能なディスプレイを有するものが提供されている。例えば、ディスプレイを傾けることにより、その背面に隠れていたＣＤの挿入口が現われ、ディスプレイを元に戻すことによりディスプレイの背面に挿入口が隠れるといった構造のものがあげられる。このようなディスプレイ装置を車両などに搭載した場合、ディスプレイが車両の振動により揺れて異音を発生することがある。ディスプレイ装置におけるこのような異音が発生するという問題を解決するため、従来、例えば、ディスプレイ収納部におけるディスプレイとの接触部にクッション材を貼り付けて異音の発生を抑制していた。
【０００３】
しかし、ディスプレイは移動する際にもクッション材と接触するため、ディスプレイとクッション材との接触による摩擦抵抗により摺動負荷が発生し、ディスプレイの駆動装置の負荷が増大するという問題があった。また、クッション材が多数必要であり、コストが嵩むという問題もあった。更に、ディスプレイとクッション材がこすれる際、クッション材にせん断力がかかり、クッション材を傷めるという問題もあった。
【０００４】
当該ディスプレイのようなスライド部材を備えた装置における異音の発生を防止する手段としては、例えば特許文献１に記載されたものがある。特許文献１に記載されたスライド部材の固定機構では、筐体とカバーとの間にトーションバネを設け、トーションバネの付勢力によりピンを軸にカバーを筐体側に押す方向の回転力を付与している。これにより、カバーが常に筐体に接触するためスライド部材によるガタツキやビリツキを抑制している。
【先行技術文献】
【特許文献】
【０００５】
【特許文献１】特開２０１０−７４７４１号公報
【発明の概要】
【発明が解決しようとする課題】
【０００６】
しかしながら、上述した特許文献１に記載の技術は、カバーを筐体に付勢するトーションバネおよびピンからなる機構を設けるもので、部品点数が増加する、さらにトーションバネのテンションにより組み立て性を損なうという課題があった。
【０００７】
この発明は、上記のような課題を解決するためになされたもので、少ない部品点数で、組み立て性を損なうことなくディスプレイと装置本体との接触による異音の発生を防止するディスプレイ装置を提供することを目的とする。
【課題を解決するための手段】
【０００８】
この発明に係るディスプレイ装置は、装置本体の前部の左右両側に設けられたガイド溝に、ディスプレイの両側面に設けられたガイドピンが嵌合され、スライド機構によりディスプレイが前後方向に移動することにより、ガイドピンとガイド溝との係合を介してディスプレイが傾動するディスプレイ装置において、装置本体の前面に設けられた第１磁石と、ディスプレイが閉位置にあるときに、ディスプレイの第１磁石と対向する位置に第２磁石とを設け、ディスプレイが閉位置にあるときに、対向した第１磁石と第２磁石との間で生じる磁力により、ガイドピンをガイド溝のディスプレイ収容部開口部側の壁面方向に付勢することを特徴とするものである。
【発明の効果】
【０００９】
この発明によれば、少ない部品点数で組み立て性を損なうことなく、スライド部材と装置本体との接触による異音の発生を防止することができる。
【図面の簡単な説明】
【００１０】
【図１】実施の形態１によるディスプレイ装置のディスプレイが開いた位置（開位置）にある状態を示す斜視図である。
【図２】実施の形態１によるディスプレイ装置のディスプレイが閉じた位置（閉位置）にある状態を示す斜視図である。
【図３】実施の形態１によるディスプレイ装置のディスプレイが開位置にある状態の装置本体内部を示す斜視図である。
【図４】実施の形態１によるディスプレイ装置のディスプレイが閉位置にある状態の装置本体内部を示す斜視図である。
【図５】実施の形態１によるディスプレイ装置のディスプレイ開閉動作を示す側面に沿った断面図である。
【図６】実施の形態１によるディスプレイ装置の正面図である。
【図７】実施の形態１によるディスプレイ装置のディスプレイが閉位置にある状態の側面に沿った拡大断面図である。
【図８】実施の形態１によるディスプレイ装置のディスプレイが閉位置にある状態の側面に沿った拡大断面図である。
【発明を実施するための形態】
【００１１】
実施の形態１．
以下、この発明の実施の形態１を、図面を参照しながら詳細に説明する。図１は、実施の形態１に係るディスプレイ装置のディスプレイが開いた状態（開位置）の斜視図、図２は、ディスプレイが閉じた状態（閉位置）の斜視図である。図３はディスプレイが開位置にあるときの、装置本体内部を示す斜視図、図４はディスプレイが閉位置にあるときの、装置本体内部を示す斜視図である。
【００１２】
装置本体１は筐体２とその前面に板金３を介して取り付けられたサブパネル４とから構成されている。筐体２には、各種機器やＣＤ、ＣＤ−ＲＯＭなどのドライブなどが組み込まれている（図示省略）。サブパネル４の前側は、凹状のディスプレイ収容部５となっており、そのサブパネル４の前面４ａには、ＣＤ、ＣＤ−ＲＯＭなどを差し込むためのＣＤ挿入口（図示省略）が形成されている。ディスプレイ収容部５の両側は、操作ボタンなどを配置するボタン配置部６ａ，６ｂとなっている。
【００１３】
ディスプレイ７は、サブパネル４のディスプレイ収容部５に傾動可能に収容される。ディスプレイ７の両側面の上部付近には、ガイドピン８が設けられている。一方、サブパネル４における左右のボタン配置部６ａ，６ｂの内側面には、ガイド溝９が形成され、当該ガイド溝９にガイドピン８が差し込まれる。ガイド溝９は、ディスプレイ７を傾動させるため、その下方ではボタン配置部６ａ，６ｂ前面側に湾曲している。
【００１４】
装置本体１の筺体２内にはディスプレイ７を傾動させるためのスライド機構１０が組み込まれている。スライド機構１０は、筐体２内の両側部に前後方向に延ばして設けられたレール状のガイド部材１１と、ガイド部材１１に支持され、装置本体１から前方に出入り可能なスライド部材１２と、スライド部材１２を駆動させる駆動機構１３とからなっている。駆動機構１３は、モータ１４と、モータ１４の動力をスライド部材１２に伝えるピニオン・ラック機構１５などからなっている。スライド部材１２の先端部は、ディスプレイ７の両側面の下部に連結されている。したがって、スライド機構１０が作動されてスライド部材１２が装置本体１から前方に押し出されることにより、ディスプレイ７は、図２及び図４に示す閉位置から図１及び図３に示す開位置へと姿勢が変更される。ディスプレイ７が閉位置に来たときには、ディスプレイ７は立った状態となり、サブパネル４の前面４ａにあるＣＤ挿入口を隠す。一方、ディスプレイ７が傾動して開位置に来たときには、ＣＤ挿入口が現われる。
【００１５】
図５はディスプレイが閉位置、中間位置および開位置にあるときの装置側面に沿う断面図、図６はディスプレイを取り外した装置本体正面図、図７はディスプレイが閉位置にあるときの装置側面に沿う拡大断面図である。
ディスプレイ７が傾動して閉位置あるいは開位置に移動する際、ディスプレイ７の両側面のガイドピン８が、ガイド溝９の凹部を摺動してディスプレイ７の移動を規制する。ガイドピン８とガイド溝９の凹部との間にクリアランスを設け、ガイドピン８がガイド溝９内を摺動する際に焼き付きや、抵抗が発生するのを抑制している。このクリアランスを設けることにより発生する装置本体１とディスプレイ７とのガタつきを抑制する手段として、サブパネル４の前面４ａに磁石２１，２２およびディスプレイ７の背面７ａそれぞれに磁石３１，３２を配置している。
【００１６】
図６に示すように、サブパネル４の前面４ａの中央から上方向寄り、且つ中央からボタン配置部６ａ，６ｂ側寄りの２箇所に磁石２１，２２を配置し、ディスプレイ７の背面７ａには、ディスプレイ７が閉位置にあるときに磁石２１，２２と対向する位置に磁石３１，３２を配置する。磁石２１，２２，３１，３２は圧入やねじ止めなどで固定する。また、サブパネル４の前面４ａおよびディスプレイ７の背面７ａの表面から突出して設けてもよいし、表面と一体化するように設けてもよい。
【００１７】
ディスプレイ７が閉位置にある場合に、サブパネル４の前面４ａに設けた磁石２１，２２とディスプレイ７の背面７ａに設けた磁石３１，３２は互いに引き合い、ディスプレイ７がサブパネル４側に付勢される。このとき、磁石２１，２２と磁石３１，３２は互いに異なる磁極（図７の例では、磁石２１，２２のＳ極と磁石３１，３２のＮ極）が対向するように配置される。なお、磁極の配置は適宜変更可能である。これにより、ディスプレイ７の両側面の上部付近に設けられたガイドピン８がガイド溝９内のサブパネル４側の壁面９ａに当接し、ガイド溝９内での移動が規制される。ガイドピン８の移動が規制されることにより、ディスプレイ７の移動も規制され、ディスプレイ収容部５との間で発生するガタつきが抑制される。
【００１８】
次に、ディスプレイ７が傾動して開動作を始める際の動作について説明する。
まず、ディスプレイ７が閉位置にある場合、サブパネル４の前面４ａに設けた磁石２１，２２とディスプレイ７の背面７ａに設けた磁石３１，３２は互いに引き合い、ガイドピン８がガイド溝９のサブパネル４側の壁面９ａに当接するように付勢されている（図５（ａ）参照）。この位置からディスプレイ７が開位置に向けて傾動を開始すると、磁石２１，２２と磁石３１，３２とが引き合う磁力が解除され、ガイドピン８がガイド溝９の凹部内を摺動する（図５（ｂ）参照）。ディスプレイ７が開位置に到達すると、サブパネル４の前面４ａに設けた磁石２１，２２とディスプレイ７の背面７ａに設けた磁石３１，３２との距離が離れ、磁力による作用は受けない（図５（ｃ）参照）。
【００１９】
このように、ガイドピン８の移動を規制する位置（ディスプレイ７が閉位置）でのみ、磁石２１，２２と磁石３１，３２との磁力により引き合う力を発生させ、ガイドピン８をガイド溝９内のサブパネル４側の壁面９ａに付勢することができる。
【００２０】
図５から図７では、磁石２１，２２と磁石３１，３２との磁力により引き合う力によりガイドピン８をガイド溝９のサブパネル４側の壁面９ａに付勢する構成を示したが、図８では、磁石の反発力によりガイドピン８をガイド溝９のディスプレイ収容部５開口部側の壁面９ｂに付勢する構成を示している。
磁石２１´，２２´および磁石３１´，３２´の配置位置は、上述した磁石２１，２２，３１，３２と同様であり、ディスプレイ７が閉位置にあるときに磁石２１´，２２´と対向する位置に磁石３１´，３２´を配置する。さらに、磁石２１´と磁石３１´の対向面側の磁極が同一、磁石２２´と磁石３２´の対向面側の磁極が同一となるように配置する。図８に示した構成では、磁石２１´，２２´と磁石３１´，３２´のＮ極が対向するように配置している。
【００２１】
これにより、ディスプレイ７が閉位置にある場合に、サブパネル４の前面４ａに設けた磁石２１´，２２´とディスプレイ７の背面７ａに設けた磁石３１´，３２´は互いに反発し、ディスプレイ７がディスプレイ収容部５の開口部側に付勢される。すなわち、ディスプレイ７の両側面の上部付近に設けられたガイドピン８がガイド溝９内のディスプレイ収容部５開口部側の壁面９ｂに当接し、ガイド溝９内での移動が規制される。ガイドピン８の移動が規制されることにより、ディスプレイ７の移動も規制され、ディスプレイ収容部５との間で発生するガタつきが抑制される。ディスプレイ７が開位置に向けて傾動を開始すると、磁石２１´，２２´と磁石３１´，３２´との距離が離れ、磁力による反発力が解除され、ガイドピン８がガイド溝９の凹部内部を摺動し、ディスプレイ７が開位置に達する。
【００２２】
このように、ガイドピン８の移動を規制する位置（ディスプレイ７が閉位置）でのみ、磁石２１´，２２´と磁石３１´，３２´との磁力による反発力を発生させ、ガイドピン８をガイド溝９内のディスプレイ収容部５開口部側の壁面９ｂに付勢することができる。なお、磁石２１´，２２´のＳ極と磁石３１´と３２´のＳ極とが対向するように配置しても同様の効果が得られる。
【００２３】
なお、上述した説明ではサブパネル４の前面４ａおよびディスプレイ７の背面７ａのそれぞれ２箇所に磁石を配置する構成を示したが、配置する磁石の数はこれに限定されるものではなく、適宜変更可能である。また、その配置位置も適宜変更可能である。ただし、ディスプレイ７が閉位置にある場合に、ガイドピン８をガイド溝９の壁面９ａあるいは壁面９ｂに付勢させるので、磁石を配置する位置は、ディスプレイ７が閉位置にあるときのガイドピン８の近傍が望ましい。
【００２４】
以上のように、この実施の形態１によれば、ディスプレイ７が閉位置にある場合に、サブパネル４の前面４ａの磁石２１，２２と、ディスプレイ７の背面７ａの磁石３１，３２とを対向する位置に配置するように構成したので、磁石２１，２２と磁石３１，３２との引き合う力により、ディスプレイ７に設けられたガイドピン８がガイド溝９のサブパネル４側の壁面９ａに当接してガイド溝９凹部内の移動が規制され、ディスプレイ７がディスプレイ収容部５内でガタつくのを防止することができる。これにより、ディスプレイ７とディスプレイ収容部５との間で発生する異音を防止することができる。
【００２５】
また、この実施の形態１によれば、ディスプレイ７が閉位置にある場合に、サブパネル４の前面４ａの磁石２１´，２２´と、ディスプレイ７の背面７ａの磁石３１´，３２´とを対向する位置に配置し、さらに対向する面に同一磁極が位置するように構成したので、磁石２１´，２２´と磁石３１´，３２´との反発力により、ディスプレイ７に設けられたガイドピン８がガイド溝９のディスプレイ収容部５開口部側の壁面９ｂに当接してガイド溝９凹部内の移動が規制され、ディスプレイ７がディスプレイ収容部５内でガタつくのを防止することができる。これにより、ディスプレイ７とディスプレイ収容部５との間で発生する異音を防止することができる。
【００２６】
また、この実施の形態１によれば、ディスプレイ７が閉位置にある場合にのみ、磁石２１，２２と磁石３１，３２との間で発生する引き合う力あるいは磁石２１´，２２´と磁石３１´，３２´との間で発生する反発力が作用するように構成したので、ディスプレイ７の開位置への摺動動作あるいは閉位置への摺動動作に影響を与えることなく、ディスプレイ７が閉位置にある場合にのみ、ガイドピン８の移動、すなわちディスプレイ７の移動を規制することができる。
【００２７】
また、この実施の形態１によれば、磁石の引き合う力あるいは反発力を用いてガイドピン８の移動を規制するように構成したので、テンションを有するバネを用いる構成と比較して、組み立て性が損なわれることがない。また、部品点数を削減することができる。
【００２８】
また、この実施の形態１によれば、ディスプレイ７が閉位置にあるときのガイドピン８の近傍に複数の磁石を配置するように構成したので、ディスプレイ７が閉位置にあるときにガイドピン８のガイド溝９内の移動を確実に規制することができる。
【００２９】
また、この実施の形態１によれば、磁石をサブパネル４の前面４ａおよびディスプレイ７の背面７ａの表面と一体となるようにねじ止めあるいは圧入することができるので、ディスプレイ７のガタつきを抑制すると共に、ディスプレイ装置の薄型化を実現することができる。
【００３０】
また、この実施の形態１によれば、磁石２１´，２２´と磁石３１´，３２´との反発力を用いて、ガイドピン８をガイド溝９の壁面９ｂに付勢するように構成したので、ディスプレイ７を傾動開始する際に、磁石の引き合う力を解除する必要がなく、スムーズに傾動開始に移行することができる。
【００３１】
なお、上述した実施の形態１では、サブパネル４の前面４ａとディスプレイ７の背面７ａ双方に磁石を配置する構成を示したが、サブパネル４の前面４ａとディスプレイ７の背面７ａのどちらか一方の磁石を金属板などの強磁性体で構成し、磁石と金属板が引き合う力を用いてガイドピン８の移動を規制してもよい。具体的には、サブパネル４の前面４ａに磁石２１，２２を配置し、ディスプレイ７が開位置にある場合に、ディスプレイ７の背面７ａの当該磁石２１，２２と対向する領域に金属板を設ける。また、ディスプレイ７の背面７ａを全面金属板で構成してもよい。逆に、ディスプレイ７の背面７ａに磁石３１，３２を配置し、ディスプレイ７が開位置にある場合に、サブパネル４の前面４ａの当該磁石３１，３２と対向する領域に金属板を設ける。また、サブパネル４の前面４ａを全面金属板で構成してもよい。
【００３２】
また、上述した実施の形態１では、サブパネル４の前面４ａおよびディスプレイ７の背面７ａの表面から磁石面が露出する構成を示したが、サブパネル４の前面４ａおよびディスプレイ７の背面７ａが樹脂で構成されている場合には、樹脂内に埋め込むように配置することも可能である。また、磁石の固定方法も、ねじ止めや圧入以外でも適用可能である。
【００３３】
また、上述した磁石は、ディスプレイ７が閉位置にある場合に、ガイドピン８をガイド溝９の壁面９ａあるいは壁面９ｂに当接可能な磁力を有していれば、永久磁石や電磁石など、適宜構成可能である。
【００３４】
なお、本願発明はその発明の範囲内において、実施の形態の任意の構成要素の変形、もしくは実施の形態の任意の構成要素の省略が可能である。
【符号の説明】
【００３５】
１  装置本体、２  筐体、３  板金、４  サブパネル、４ａ  前面、５  ディスプレイ収容部、６ａ，６ｂ  ボタン配置部、７  ディスプレイ、７ａ  背面、８  ガイドピン、９  ガイド溝、９ａ，９ｂ  壁面、１０  スライド機構、１２  スライド部材、２１，２２，２１´，２２´，３１，３２，３１´，３２´  磁石。
【図１】
0005517980.tif 000002
【図２】
0005517980.tif 000003
【図３】
0005517980.tif 000004
【図４】
0005517980.tif 000005
【図５】
0005517980.tif 000006
【図６】
0005517980.tif 000007
【図７】
0005517980.tif 000008
【図８】
0005517980.tif 000009